(57)【要約】【課題】  正確な偏光レッド・グリーン検査を行う。【解決手段】  視標の選択手段により偏光レッド・グリーン視標を選択時、左右眼に個別に呈示する左眼用及び右眼用偏光レッド・グリーン視標をディスプレイに表示させる表示制御手段で、左眼のみに呈示する左眼用偏光レッド・グリーン視標の領域内における左眼用光学領域に対応する画素領域にレッド・グリーン視標を表示し、右眼用光学領域に対応する画素領域を白地で表示するようにディスプレイ表示を制御すると共に、右眼のみに呈示する右眼用偏光レッド・グリーン視標の領域内における右眼用光学領域に対応する画素領域にレッド・グリーン視標を表示し、左眼用光学領域に対応する画素領域を白地で表示するようにディスプレイ表示を制御し、且つ左眼用及び右眼用のレッド・グリーン視標の領域の周りの背景領域も白地で表示する制御する制御手段と、を備える。【選択図】      図５
2008264262.tif 000002
【特許請求の範囲】
【請求項１】
視標を表示するディスプレイと、ディスプレイの前面に配置される偏光光学部材であって、ディスプレイが持つ画素に対応してライン状又は格子状に交互に配置された左眼用光学領域及び右眼用光学領域を持ち、該左眼用光学領域及び右眼用光学領域がディスプレイからの光を通過させるときに互いに直交する偏光軸の光に変換する偏光光学部材と、偏光レッド・グリーン視標を含む両眼視機能検査用の視標を選択する視標選択手段とを備え、前記偏光光学部材からの互いに直交する偏光軸にそれぞれ一致した偏光軸を持つ左眼用偏光フィルタ及び右眼用偏光フィルタが被検者の左右眼の眼前にそれぞれ配置され、両眼視機能検査のための視標を呈示する視標呈示装置において、
前記視標選択手段により偏光レッド・グリーン視標が選択されたときに、左右眼にそれぞれ個別に呈示する左眼用偏光レッド・グリーン視標及び右眼用偏光レッド・グリーン視標を前記ディスプレイに表示させる表示制御手段であって、左眼のみに呈示する左眼用偏光レッド・グリーン視標の領域内における左眼用光学領域に対応する画素領域にレッド・グリーン視標を表示し、右眼用光学領域に対応する画素領域を白地で表示するようにディスプレイの表示を制御すると共に、右眼のみに呈示する右眼用偏光レッド・グリーン視標の領域内における右眼用光学領域に対応する画素領域にレッド・グリーン視標を表示し、左眼用光学領域に対応する画素領域を白地で表示するようにディスプレイの表示を制御し、且つ左眼用及び右眼用のレッド・グリーン視標の領域の周りの背景領域も白地で表示するようにディスプレイを制御する制御手段と、を備えることを特徴とする視標呈示装置。
【請求項２】
請求項１の視標呈示装置において、前記偏光レッド・グリーン視標は、右眼及び左眼の両方に呈示する同一形状の融像視標を持ち、前記制御手段は前記融像視標を背景領域の白地に対して視認し易い色にて表示することを特徴とする視標呈示装置。
【発明の詳細な説明】
【技術分野】
【０００１】
本発明は、被検眼の視機能を検査するための検査視標を呈示する視標呈示装置に関する。
【背景技術】
【０００２】
視標呈示装置においては、視標ディスク板に描かれた視標が背後から照明され、検査距離だけ離されたスクリーンに視標が拡大されて投影されるタイプが良く知られている。また、ディスプレイに視標が表示される視標呈示装置も実用化されている（例えば、特許文献１参照）。
【０００３】
またさらに、ディスプレイを持つ視標呈示装置においては、左眼と右眼で異なる視標が呈示されるようにするために、特許文献２，３等に記載された３次元映像表示の技術を利用することができる。すなわち、ディスプレイが持つ画素に対応してライン状又は格子状に交互に配置された２種類の光学領域を持ち、ディスプレイからの光を通過させるときに互いに直交する偏光軸に変換するシート状の偏光光学部材をディスプレイの前側に配置すると共に、偏光光学部材を通過した光の偏光軸に一致した偏光軸を持つ偏光フィルタを被検者の左右眼の眼前にそれぞれ配置することにより、左眼と右眼で異なる視標が呈示され、両眼視機能検査が可能となる。
【０００４】
両眼視機能の検査視標の一つとして、両眼バランスと屈折矯正度数が低矯正もしくは過矯正であるかを検査する偏光レッド・グリーン視標がある（例えば、特許文献４参照）。
【０００５】
図７は、従来の投影タイプの視標呈示装置で実施されている偏光レッド・グリーン視標１００の例である。図７（ａ）において、上に位置する視標１０１ａ及び左に位置する視標１０１ｂは緑色視標であり、下に位置する視標１０１ｃ及び右に位置する視標１０１ｄは赤色視標である。各視標の内部には黒い色の視標１０２が描かれている。検査時には、両眼バランス検査を同時に可能にするために、偏光軸が直交する偏光フィルタが被検者の左右眼の眼前にそれぞれ配置される。そして、投影タイプの視標呈示装置においては、図７（ｂ）のように、左眼には黒地の背景の中に視標１０１ｂ及び１０１ｄが視認されるように、左眼の偏光フィルタと一致した偏光軸を持つ偏光フィルタが視標ディスク板に貼り付けられている。右眼には黒地の背景の中に視標１０１ａ及び１０１ｃが視認されるように（図７（ｃ）参照）、右眼の偏光フィルタと一致した偏光軸を持つ偏光フィルタが視標ディスク板に貼り付けられている。被検者が両眼で見たときには、図７（ａ）のように、黒地の背景の中に視標１０１ａ〜１０１ｄが合成された状態に視認され、緑色側の視標１０２と赤色側の視標１０２とで何れが明確に見えるかにより、屈折矯正度数が低矯正もしくは過矯正であるかが検査され、同時に両眼バランスも検査される。
【特許文献１】特開２００６−４２９７８号公報
【特許文献２】特開平７−３２２３０４号公報
【特許文献３】特開２００２−３１１３８５号公報
【特許文献４】特開平５−２５３１８６号公報
【発明の開示】
【発明が解決しようとする課題】
【０００６】
しかし、偏光レッド・グリーン視標について、ディスプレイタイプの視標呈示装置で呈示を実現するためには、次のような問題があった。
【０００７】
特許文献２のように互いに直交する偏光軸を持つ偏光素子（ベクトルグラフィクスフィルム）を利用し、又は特許文献３のようにディスプレイの偏光板に加えて位相差板を利用し、図７と同じく、黒地背景の中に視標１０１ａ〜１０１ｄが視認されるように、ディスプレイが持つ画素に対応してライン状に交互に配置された２種類の光学領域の表示について、他方に視認させたくない表示部側の画素を黒地で表示させる。このとき、ディスプレイの発光素子と偏光光学部材との間に隙間があるため、左右で異なる視標を呈示しようとしても、僅かに光漏れが生じてしまう。すなわち、左眼に呈示される図７（ｂ）においては、右眼に呈示される視標１０１ａ，１０１ｃの視標光束が漏れることにより、視標１０１ａ，１０１ｃが薄く霞んで視認される。同様に、右眼に呈示される図７（ｃ）においては、左眼に呈示される視標１０１ｂ，１０１ｄの視標光束が漏れることにより、その視標が薄く霞んで視認される。このため、正確な偏光レッド・グリーン検査ができなくなる。
【０００８】
本発明は、上記の問題点に鑑み、正確な偏光レッド・グリーン検査を行えるディスプレイタイプの視標呈示装置を提供することを技術課題とする。
【課題を解決するための手段】
【０００９】
上記課題を解決するために、本発明は以下のような構成を備えることを特徴とする。
【００１０】
（１）  視標を表示するディスプレイと、ディスプレイの前面に配置される偏光光学部材であって、ディスプレイが持つ画素に対応してライン状又は格子状に交互に配置された左眼用光学領域及び右眼用光学領域を持ち、該左眼用光学領域及び右眼用光学領域がディスプレイからの光を通過させるときに互いに直交する偏光軸の光に変換する偏光光学部材と、偏光レッド・グリーン視標を含む両眼視機能検査用の視標を選択する視標選択手段とを備え、前記偏光光学部材からの互いに直交する偏光軸にそれぞれ一致した偏光軸を持つ左眼用偏光フィルタ及び右眼用偏光フィルタが被検者の左右眼の眼前にそれぞれ配置され、両眼視機能検査のための視標を呈示する視標呈示装置において、
前記視標選択手段により偏光レッド・グリーン視標が選択されたときに、左右眼にそれぞれ個別に呈示する左眼用偏光レッド・グリーン視標及び右眼用偏光レッド・グリーン視標を前記ディスプレイに表示させる表示制御手段であって、左眼のみに呈示する左眼用偏光レッド・グリーン視標の領域内における左眼用光学領域に対応する画素領域にレッド・グリーン視標を表示し、右眼用光学領域に対応する画素領域を白地で表示するようにディスプレイの表示を制御すると共に、右眼のみに呈示する右眼用偏光レッド・グリーン視標の領域内における右眼用光学領域に対応する画素領域にレッド・グリーン視標を表示し、左眼用光学領域に対応する画素領域を白地で表示するようにディスプレイの表示を制御し、且つ左眼用及び右眼用のレッド・グリーン視標の領域の周りの背景領域も白地で表示するようにディスプレイを制御する制御手段と、を備えることを特徴とする。
（２）  （１）の視標呈示装置において、前記偏光レッド・グリーン視標は、右眼及び左眼の両方に呈示する同一形状の融像視標を持ち、前記制御手段は前記融像視標を背景領域の白地に対して視認し易い色にて表示することを特徴とする。
【発明の効果】
【００１１】
本発明によれば、正確な偏光レッド・グリーン検査を行える。
【発明を実施するための最良の形態】
【００１２】
以下、本発明の実施の形態を図面に基づいて説明する。図１は視標呈示装置の外観略図である。
【００１３】
視標呈示装置１の筐体２の正面（前面）には、視標を呈示するための呈示部３が配置されている（詳細は図２及び図３にて後述する）。呈示部３は、５ｍ等の遠方の検査距離に置かれた場合にも、所定サイズの視力検査視標、偏光レッド・グリーン視標を含む両眼視機能検査視標等の検査視標１０を表示できる。さらに、筐体２は壁掛けで使用できる薄型とされている。
【００１４】
筐体２の正面の下方には、リモコン４からの赤外光の通信信号を受信する受信部５が配置されている。呈示部３に表示される視標１０は、リモコン４の操作によって切り替えられる。また、１つ文字の視力検査視標を呈示する場合、呈示部３のほぼ中央に視標１０が表示される。両眼視機能検査には、それぞれ直交する偏光軸を持つ偏光フィルタ３０Ｌ及び偏光フィルタ３０Ｒが配置された偏光眼鏡３０が使用される。左眼用の偏光フィルタ３０Ｌは１３５度方向に偏光軸を持ち、右眼用の偏光フィルタ３０Ｒは４５度方向に偏光軸を持つ。また、屈折矯正検査のために、左右の検査窓に球面レンズ等の矯正レンズが切換え配置される自覚式屈折力検眼装置（ホロプター）２００が使用される場合において、両眼視機能検査時には、左右の検査窓には偏光眼鏡３０と同じく直交する偏光軸を持つ偏光フィルタがそれぞれ切換え配置される。
【００１５】
図２は、視標呈示装置１の制御ブロック図である。呈示部３を構成する液晶ディスプレイ５０、受信部５は制御ユニット２０に接続される。制御ユニット２０は、様々な視標パターンを記憶するメモリ２１やリモコン４からの指令信号を解読するデコーダ回路等を備える。制御ユニット２０は、リモコン４からの視標切換え信号等の入力により、ディスプレイ５０の表示を制御する。
【００１６】
リモコン４には、ディスプレイ５０に表示される視標を切換えるための複数のスイッチと、それらスイッチによる操作の状況を表示する液晶ディスプレイ４１が配置されている。４２は視力検査視標の切換スイッチ群であり、視力値に対応するボタンを押すと、ディスプレイ５０にその視力値の視標が表示される。このとき、ディスプレイ４１にも同じ視標が表示されると共に、その視力値も表示される。４３は視力検査視標以外の検査視標の切換スイッチ群である。このスイッチ群４３では、偏光レッド・グリーン視標を含む両眼視機能検査の様々な視機能を検査するための視標を表示させるスイッチが用意されている。４４は方向切換ボタンであり、視力検査視標であるランドルト環視標の切れ目方向を切換えることができる。４５は視力値増減ボタンであり、呈示部３に表示される視力検査視標の視力値を上下させることができる。４９はリモコン４の指令信号を赤外光にて送信する送信部である。
【００１７】
次に、呈示部３の構成について説明する。呈示部３は、カラーの液晶ディスプレイ（ＬＣＤ）５０と、ディスプレイ５０の少なくとも視標呈示領域に配置されたシート状の偏光光学部材５５により構成される。液晶ディスプレイ５０は偏光板を備え、液晶ディスプレイ５０からは所定の方向（垂直方向、水平方向又は斜め４５度方向）に偏光軸を持つ直線偏光が出射される。本実施形態では、矢印５０Ｙで示される垂直方向の偏光軸（偏光面）を持つ光が出射される。偏光光学部材５５は、ディスプレイ５０が持つ画素の大きさに対応してライン状又は格子状に交互に配置された２種類の光学領域５７，５９を持ち、ディスプレイ５０からの光を通過させるときに互いに直交する偏光軸を持つ直線偏光に変換する。本実施形態では偏光光学部材５５として、位相差機能を持つ１／２波長板で構成されている。
【００１８】
ここで、１／２波長板は、周知のように入射光の偏光面が１／２波長板の高速軸（或いは低速軸）に対して角度θで入射したときに、その振動方向を２×θ回転させる。すなわち、１／２波長板は、入射光の偏光方向に対して高速軸（或いは低速軸）である光学的主軸方向を傾斜させることにより、入射光の偏光軸方向（振動方向）を回転させる機能を持つものであり、入射光の光量をそのまま維持できる特性を持つ。
【００１９】
図２において、ライン状の光学領域５７の１／２波長板は右眼用光学領域であり、その光学的主軸方向は、偏光眼鏡３０が持つ右眼用の偏光フィルタ３０Ｒの偏光方向４５度と一致した偏光方向（矢印５７Ｙ）の光に変換するように配置されている。また、ライン状の光学領域５９の１／２波長板は左眼用光学領域であり、その光学的主軸方向は、偏光眼鏡３０が持つ左眼用の偏光フィルタ３０Ｌの偏光方向１３５度と一致した偏光方向（矢印５９Ｙ）の光に変換するように配置されている。なお、左右眼における偏光方向の構成は逆であっても良く、本実施形態に限定されるものではない。被検者が左右の眼前にそれぞれ配置された偏光フィルタ３０Ｌ及び３０Ｒを通して呈示部３の表示を見ると、左眼には偏光フィルタ３０Ｌを通過可能な光学領域５９からの出射光のみが視認され、光学領域５７からの出射光は偏光フィルタ３０Ｌによりカットされ、視認されない。逆に、右眼には偏光フィルタ３０Ｒを通過可能な光学領域５７からの出射光のみが視認され、光学領域５９からの出射光は偏光フィルタ３０Ｒによりカットされ、視認されない。これにより、被検者の左右でそれぞれ異なる視標を呈示できる。
【００２０】
なお、ディスプレイ５０から４５度方向の偏光軸を持つ光が出射されるときは、光学領域５７については、位相差機能（１／２波長板）を持たずに、４５度の偏光軸方向を維持したまま通過させる光学部材５５として構成すればよい。
【００２１】
また、図２において、光学領域５７に対応されるディスプレイ５０の領域を表示領域５５７とし、光学領域５９に対応されるディスプレイ５０の領域を表示領域５５９とする。領域５５７及び５５９は、それぞれディスプレイ５０が持つ１画素の横ラインに一致したものであるが、検査距離だけ離れた被検者眼に光学領域５７及び５９が区別されないほど微細であれば、ディスプレイ５０が持つ１画素の整数倍の領域をカバーするように構成しても良い。ディスプレイ５０の1画素の縦方向の長さｈ５０は、例えば、約０．２６ｍｍである。光学領域５７及び５９の縦方向の長さｈ５５も長さｈ５０に略一致している。光学領域５７及び５９とこれに対応するディスプレイ５０の領域５５７及び５５９は、横方向ラインとしたが、縦方向ラインであっても良い。さらに、２種類の領域５７、５９が格子状に配置される構成としても良い。
【００２２】
また、ディスプレイ５０として液晶ディスプレイを使用したが、プラズマディスプレイ、有機ＥＬディスプレイ、ＳＥＤディスプレイ等も使用可能である。液晶ディスプレイ以外のディスプレイから出射される光が直線偏光の特性を持たない場合、ディスプレイ５０と偏光光学部材５５との間に偏光板を配置することにより、偏光光学部材５５として位相差機能を持つ１／２波長板が使用できる。
【００２３】
なお、偏光光学部材５５として、特開平７−３２２３０４号公報と同じく、光学領域５７に４５度方向の偏光軸を持つ偏光板を配置し、光学領域５９に１３５度方向の偏光軸を持つ偏光板を配置して構成することもできる。液晶ディスプレイ以外のディスプレイを使用する場合は、特開平７−３２２３０４号公報と同じく、偏光光学部材５５として偏光板を使用しても良い。
【００２４】
次に、偏光レッド・グリーン視標について説明する。図３（ａ）は、呈示部３に呈示される偏光レッド・グリーン視標の例である。図３（ａ）に示される偏光レッド・グリーン視標７０は、右眼のみに視認される右眼用偏光レッド・グリーン検査視標（以下、右偏光Ｒ／Ｇ視標）７１と、左眼のみに視認される左眼用偏光レッド・グリーン検査視標（以下、左偏光Ｒ／Ｇ視標）７３と、両眼で視認される黒色表示の融像視標７５と、により構成される。融像視標７５は右偏光Ｒ／Ｇ視標７１と左偏光Ｒ／Ｇ視標７３との間に配置されている。
【００２５】
またさらに、上段に配置された右偏光Ｒ／Ｇ視標７１は、左側に配置された赤色視標７１Ｒと、右側に配置された緑色視標７１Ｇと、により構成される。赤色視標７１Ｒは、赤色領域の中に配置された黒色の視標７２ａを持つ。緑色視標７１Ｇは、緑色領域の中に黒色の視標７２ｂを持つ。同様に、下段に配置された左偏光Ｒ／Ｇ視標７３は、左側に配置された赤色視標７３Ｒと、右側に配置された緑色視標７３Ｇと、により構成される。赤色視標７３Ｒは、赤色領域の中に配置された黒色の視標７４ａを持つ。緑色視標７３Ｇは、緑色領域の中に黒色の視標７４ｂを持つ。
【００２６】
この偏光レッド・グリーン視標では、偏光板３０Ｒを介することにより、上段の右偏光Ｒ／Ｇ視標７１と中央の融像視標７５が右眼に呈示され、偏光板３０Ｌを介することにより、下段の左偏光Ｒ／Ｇ視標７３と中央の融像視標７５が左眼に呈示さる。被検者が、両眼で見たときには、左右眼にそれぞれ呈示された同一形状で且つ同一色の融像視標７５が
が融像されることにより、図３（ａ）のように、一体化された視標として視認される。右眼に呈示される右偏光Ｒ／Ｇ視標７１のうち、赤色視標７１Ｒ側の黒色視標７２ａと緑色視標７１Ｇ側の視標７２ｂの何れがはっきり視認されるかにより、右眼の屈折矯正が低矯正もしくは過矯正であるかが検査される。同様に、左眼に呈示される左偏光Ｒ／Ｇ視標７３のうち、赤色視標７３Ｒ側の黒色視標７４ａと緑色視標７３Ｇ側の視標７４ｂの何れがはっきり視認されるかにより、左眼の屈折矯正が低矯正もしくは過矯正であるかが検査される。そして、右偏光Ｒ／Ｇ視標７１側の視標７２ａ，７２ｂと左偏光Ｒ／Ｇ視標７３側の視標７４ａ，７４ｂとが見比べられることにより、矯正状態の左右のバランスが検査される。
【００２７】
このような偏光レッド・グリーン視標を従来の投影タイプの視標呈示装置で呈示しようとした場合、右偏光Ｒ／Ｇ視標７１及び左偏光Ｒ／Ｇ視標７３の周りの背景を黒地とするしかなかった。すなわち、投影タイプにおいては、ディスク板の直径１０ｍｍ程の領域に一つの視標が形成される。視標の赤色領域（７１Ｒ，７３Ｒ）に赤色フィルタが張りつけられ、緑色領域（７１Ｇ，７３Ｇ）に緑フィルタが張り付けられる。さらに、右偏光Ｒ／Ｇ視標７１の領域には右眼用の偏光フィルタ３０Ｒの偏光軸と一致する偏光軸を持つ偏光フィルタが貼り付けられ、左偏光Ｒ／Ｇ視標７３の領域には左眼用の偏光フィルタ３０Ｌの偏光軸と一致する偏光軸を持つ偏光フィルタが貼り付けられている。この場合、図３（ｂ）に示すように、左眼の眼前に配置された偏光フィルタ３０Ｌを通すことにより、右偏光Ｒ／Ｇ視標７１が配置された領域７１Ａ（図３（ｂ）の点線で示される領域）については、左眼の偏光フィルタ３０Ｌと視標光束の偏光軸が直交するため、黒色に視認される。右眼にのみに呈示される視標においても、図３（ｃ）のように、左偏光Ｒ／Ｇ視標７３が配置された領域７３Ａは黒色に視認される。このため、右偏光Ｒ／Ｇ視標７１及び左偏光Ｒ／Ｇ視標７３の周囲の背景領域７７も黒地として呈示されるように視標が構成されていた。なお、このとき融像視標７５は白色で呈示される。
【００２８】
偏光光学部材が配置されたディスプレイタイプの装置においても、投影タイプの視標呈示装置で呈示される偏光レッド・グリーン視標と同じく、右偏光Ｒ／Ｇ視標７１及び左偏光Ｒ／Ｇ視標７３の周囲の背景領域７７を黒地として呈示されるように、ディスプレイ５０の表示を制御することができる。
【００２９】
このとき、呈示部３で呈示される赤色視標７３Ｒについて、その部分拡大図の図４を用いて説明する。図４において、左偏光Ｒ／Ｇ視標７３の領域内における赤色視標７３Ｒは、左眼用領域５５９でのみ表示されるようにディスプレイ５０の表示が制御される。そして、左眼用の赤色視標７３Ｒは右眼では視認されるべきでないので、黒色で視認されるように、ディスプレイ５０の右眼用領域５５７は黒色の表示で制御される。
【００３０】
しかし、液晶ディスプレイ５０の液晶素子とその前面に配置された偏光光学部材との間には、僅かながら隙間がある。このため、例えば、左眼用領域５５９からの出射光が、偏光光学部材５５が持つ左眼用光学領域５９の両隣（隣り合う上下方向）に位置する右眼用光学領域５７に回り込んでしまう、光漏れが生じる。
【００３１】
このとき、視標７０のうちで赤色視標７３Ｒの領域を考えると、右眼用光学領域５７には、ディスプレイの領域５５７に表示される黒色（この場合、背景７７と同一の黒色）のみでなく、ディスプレイの領域５５９から回り込んだ出射光も僅かに入射する。すなわち光学領域５７には、黒色に対して、回り込んで入射した赤色の光が入射することになる。このため、図３（ｃ）における領域７３Ａは、本来なら黒色でのみ見える部分であるが、僅かに左偏光Ｒ／Ｇ視標７３が見えてしまう。これは黒色に対し、赤色及び緑色の光が目立って視認されてしまうことに起因する。そのため、右眼用光学領域５７を通して視認される黒色に比較すると、赤色もしくは緑色の光量は僅かであるにも拘わらず、偏光板３０Ｒを介する右眼では、左偏光Ｒ／Ｇ視標７３が僅かに視認されてしまう。
【００３２】
同様に、左眼に呈示される視標についても、本来なら領域７１Ａの部分は黒色で視認されるべきであるが、光の回り込みにより、右偏光Ｒ／Ｇ視標７１が僅かに視認されてしまう。このような場合、偏光レッド・グリーン視標７０による検査結果の信頼性が劣るようになる。
【００３３】
そこで、前述のように出射光の回り込みにより、視認されるべきでない領域での視標が視認されることを低減する方法について、図５を用いて説明する。図５は、図４と同じく、呈示部３で呈示される赤色視標７３Ｒの部分拡大図である。
【００３４】
図５（ａ）において、左偏光Ｒ／Ｇ視標７３の領域内における赤色視標７３Ｒは、左眼用領域５５９でのみ表示されるようにディスプレイ５０の表示が制御される。一方、左眼用の赤色視標７３Ｒは右眼では視認されるべきでない。この対応として、図４の場合の黒色に対して、右眼に呈示される右眼用光学領域５７は白色で視認されるように、ディスプレイ５０の右眼用領域５５７が白地の表示で制御される。左眼用の緑色視標７３Ｇについても同様に制御されるため、詳細な説明は略す。
【００３５】
また、図５（ａ）と同様の考え方により、右眼用に呈示される赤色視標７１Ｒについて、図５（ｂ）を用いて説明する。右偏光Ｒ／Ｇ視標７１の領域内における赤色視標７１Ｒは、右眼用領域５５７でのみ表示されるようにディスプレイ５０の表示が制御される。一方、右眼用の赤色視標７１Ｒは左眼では視認されるべきでない。このため、図５（ａ）の場合と同様に、左眼に呈示される左眼用光学領域５９は白色で視認されるように、ディスプレイ５０の左眼用領域５５９が白地の表示で制御される。右眼用の緑色視標７１Ｇについても同様に制御されるため、詳細な説明は略す。そして、右偏光Ｒ／Ｇ視標７１及び左偏光Ｒ／Ｇ視標７３の領域の周囲にある背景領域７７も白地の表示に制御される。
このような表示において、左偏光Ｒ／Ｇ視標７３の領域における赤色視標７３Ｒについて、偏光板３０Ｌを介して左眼に視認される状態を図６（ａ）に示し、偏光板３０Ｒを介して右眼に視認される状態を図６（ｂ）に示す。
【００３６】
図６（ａ）において、光学領域５９からの赤色視標７３Ｒの光は偏光板３０Ｌを通過し、左眼に届く。一方、光学領域５７からの白色光は、偏光軸方向が直交する偏光板３０Ｌを通過できず、カットされる。このため、光学領域５７の黒色領域と赤色視標７３Ｒの光学領域５９からの光とが交互に現われ、左眼では左偏光Ｒ／Ｇ視標７３が視認される（黒色の光学領域５７に対して、赤色視標７３Ｒの光の方が勝るので、人眼には赤色として認知される）。
【００３７】
これに対して、図６（ｂ）においては、光学領域５９からの赤色視標７３Ｒの光は、偏光軸方向が直交する偏光板３０Ｒを通過できず、カットされる。光学領域５７からの白色光は、偏光軸方向が同じ偏光板３０Ｒを通過できるので、右眼に届く。このため、光学領域５７の白色領域と黒色の光学領域５９とが交互に現われるが、黒色に対して白色光の方が遥かに勝るため、右眼にはほぼ白地として認識される（背景領域７７についても同じ）。
【００３８】
ここで、図４の場合と同じく、右眼用の光学領域５７には、ディスプレイ５０の右眼用の領域５５７からの出射光が入射するのみでなく、左眼用領域５５９から回り込んだ出射光も入射する。すなわち、右眼用光学領域５７には、本来入射する白色の光（大部分）のみならず、回り込んで入射した赤色視標の光までもが入射することになる。しかしながら、人眼の認知の特性として、黒色に対する赤色及び緑色の視認のされ易さに比較すると、赤色及び緑色に対する白色の方が勝り、回り込んで漏れてきた赤色及び緑色は極めて視認されにくい。これにより、偏光板３０Ｒを介する右眼では、図３（ｃ）で示すごとく、右偏光Ｒ／Ｇ視標７１と融像視標７５が視認されるが、左偏光Ｒ／Ｇ視標７３が位置する領域７３Ａについては、背景７７と同じ白地で視認される。同様に、偏光板３０Ｌを介する左眼では、図３（ｂ）で示すごとく、左偏光Ｒ／Ｇ視標７３と融像視標７５が視認されるが、右偏光Ｒ／Ｇ視標７１が位置する領域７１Ａについては、背景７７と同じ白地で視認される。
【００３９】
なお、融像視標７５は黒色としたが、黒色に限定されるものではない。背景領域７７の白色と異なる色で、背景領域７７と明確に対比できる色であれば良い。
【００４０】
以上のように、背景領域７７も白色で表示されるようにディスプレイ５０の表示が制御されることにより、視認されるべきでない視標が霞んで視認されるという問題点を低減できる。これにより、正確な偏光レッド・グリーン検査を行うことができる。右偏光Ｒ／Ｇ視標７１と左偏光Ｒ／Ｇ視標７３との見え具合を比較することにより左右の見え具合が同じかを調べる両眼バランス検査を行える。さらに併せて、屈折矯正が過矯正かを調べるレッド・グリーン検査をも行える。
【００４１】
なお、融像視標７５は、本発明において必須の構成ではない。しかしながら、両眼バランス検査において、右偏光Ｒ／Ｇ視標７１と左偏光Ｒ／Ｇ視標７３とが斜位により離れて視認されると、左右の見え具合の比較が行いにくい。そのため、視標７１、７３を並べて視認されやすくするためにも、融像視標７５が備えられることが好ましい。
【００４２】
なお、偏光レッド・グリーン視標７０の右偏光Ｒ／Ｇ視標７１と左偏光Ｒ／Ｇ視標７３の配置は、図３に示されたものに限らず、図７で説明した配置や、その他の配置タイプであっても良い。
【図面の簡単な説明】
【００４３】
【図１】視標呈示装置の外観を説明する図である。
【図２】視標呈示装置の制御を説明するブロック図である。
【図３】偏光レッド・グリーン視標を説明する図である。
【図４】赤色視標の拡大図である。
【図５】本発明における視標の呈示について説明する拡大図である。
【図６】本発明における視標の見え方を説明する拡大図である。
【図７】偏光レッド・グリーン視標の他の配置形態を説明する図である。
【符号の説明】
【００４４】
１  視標呈示装置
３  呈示部
４  リモコン
３０  偏光眼鏡
５０  ディスプレイ
５５  偏光光学部材
５７、５９  光学領域
７０  偏光レッド・グリーン視標
７５  融像視標
７７  背景領域
【図１】
2008264262.tif 000003
【図２】
2008264262.tif 000004
【図３】
2008264262.tif 000005
【図４】
2008264262.tif 000006
【図５】
2008264262.tif 000007
【図６】
2008264262.tif 000008
【図７】
2008264262.tif 000009